(57)【要約】【課題】  多面体の外観に変化をつけるため、天面全体を複数のパネルによりシェル構造とすることを目的とする。【解決手段】  側面パネルと角底底面部を有する角底シェルカートンであって、側面パネルの上辺に天面の対角線長さより長い対角線の四角形パネルを連ね、四角形パネルを二つ折りにして三角形パネルとし、三角形パネルの先端部をそれぞれ隣り合う三角形パネルの下に潜らせて紙が持つ反発力で係合させ、シェル構造の天面とした角底シェルカートンとした。【選択図】  図４
2005138886.tif 000002
【特許請求の範囲】
【請求項１】
側面パネルと角底底面部を有する角底シェルカートンであって、側面パネルの上辺に天面の対角線長さより長い対角線の四角形パネルを連ね、四角形パネルを二つ折りにして三角形パネルとし、三角形パネルの先端部をそれぞれ隣り合う三角形パネルの下に潜らせて紙が持つ反発力で係合させ、シェル構造の天面とした角底シェルカートン。
【請求項２】
三角形パネルの一辺に側面パネルと略同じ大きさの固定パネルを連ね、固定パネルを折り曲げて側面パネルの内面に当接するようにして差し込んだ請求項１記載の角底シェルカートン。
【発明の詳細な説明】
【技術分野】
【０００１】
本発明は、角底シェルカートンに関し、特に、多面体の外観に変化をつけるため、天面全体を複数のパネルによりシェル構造としたものである。
【背景技術】
【０００２】
カートンにおいて、天面をシェル構造に仕上げる方法として、手作業で貼り上げる貼り箱、複雑な折りを伴い抜き型を使う箱、あるいは製函機の使用等が考えられるが、カートンとして気軽に導入するには障害がある。
【０００３】
一枚の紙または板紙で、曲面を持つシェルの成形は、普通はできない。特殊な、しかもかなり高価な板紙や、高価な金型を必要とする深絞りの方法で現在は実現可能であるが、少量多品種の商品への適応はできない。
【０００４】
そこで、本発明は六面体（立方体と直方体）の１つの面、ここでは天面を作る４つの辺の延長パネル４枚で、天面のシェルを形成することにした。天面の四辺形の４つの辺それぞれを一辺とする４つの変形四辺形を、本来天面の蓋部分を形成するパネルを側面パネルの延長上に設ける。この際、この変形四辺形の対角線の長さを、六面体の天面の対角線の長さより長くなるように設定する。対角線で接する三角形がそれぞれの変形四辺形の中に２つできるが、その対角線で二つ折りにする。その結果、それぞれが二枚重ねの４つの三角形パネルができる。それを、順を追って折り込み、最後の一枚は、その頭部から隣り合う三角形パネルの下に潜り込ませる。
【０００５】
その結果、それぞれの三角形パネルが隣り合う三角形パネルで押さえられるために安定し、三角形パネルの辺の長さが長めであるため、外側にふくれ上がり、シェルが構成され、外見は普通の六面体のカートンと著しく異なり、魅力的なものができ上がる。
【０００６】
基本は、四角の底面のものとするが、その他の多角形底面のカートンの製作も可能である。
【０００７】
また、深さも浅いものから深いものまでいろいろと対応できるため、中に納められる商品の多様さにも対応できる。
【特許文献１】特開２００３−３００５７６
【発明の開示】
【発明が解決しようとする課題】
【０００８】
カートンにおいて、多面体の外観に変化をつけるため、天面全体を複数のパネルにより簡単に手作業で組み立てられるシェル構造とすることが求められている。
【課題を解決するための手段】
【０００９】
そこで、本発明は、上記の事情に鑑み、多面体の外観に変化をつけるため、天面全体を複数のパネルによりシェル構造とすべく、側面パネルと角底底面部を有する角底シェルカートンであって、側面パネルの上辺に天面の対角線長さより長い対角線の四角形パネルを連ね、四角形パネルを二つ折りにして三角形パネルとし、三角形パネルの先端部をそれぞれ隣り合う三角形パネルの下に潜らせて紙が持つ反発力で係合させ、シェル構造の天面とした角底シェルカートンとした。
【００１０】
また、本発明は、シェル形の形状を安定的に保持するために、三角形パネルの一辺に側面パネルと略同じ大きさの固定パネルを連ね、固定パネルを折り曲げて側面パネルの内面に当接するようにして差し込み、入れ子の状態に組み立てた角底シェルカートンとした。
【発明の効果】
【００１１】
本発明は、側面パネルと角底底面部を有する角底シェルカートンであって、側面パネルの上辺に天面の対角線長さより長い対角線の四角形パネルを連ね、四角形パネルを二つ折りにして三角形パネルとし、三角形パネルの先端部をそれぞれ隣り合う三角形パネルの下に潜らせて紙が持つ反発力で係合させ、シェル構造の天面とした角底シェルカートンであるので、多面体の外観に変化をつけるため、天面全体を複数のパネルによりシェル構造とした。
【００１２】
また、本発明は、底と天面とにハンドロックを採用したため、紙の使用する面積が少なくて経済的である。
【００１３】
さらに、本発明は、三角パネルの一辺に側面パネルと略同じ大きさの固定パネルを連ね、固定パネルを折り曲げて側面パネルの内面に当接するようにして差し込んだ角底シェルカートンであるので、シェル形の形状を安定的に保持できる。
【発明を実施するための最良の形態】
【００１４】
本発明の角底シェルカートンを、添付する図面に示す具体的な一実施例に基づいて、以下詳細に説明する。
【００１５】
図１は四角底の角底シェルカートンの具体例の展開図で、変形四辺形状の四角パネル１と長方形の側面パネル２と、台形状の底面パネル３を上下に連ねる。四角パネル１の対角線は折り畳み線７とし、その対角線の長さは４個の側面パネル２で形成するカートンの天面の対角線長さより長く形成する。この折り畳み線７で四角形パネル１を二つ折りにして三角形パネル８とする。四角パネル１下辺と側面パネル２上辺、側面パネル２下辺と底面パネル３上辺はそれぞれ折り曲げ線４・５を介在させる。
【００１６】
この四角パネル１・側面パネル２・底面パネル３を左右方向に４組み連ねる。四角パネル１と相隣る四角パネル１との間には切れ込み線６を介在させる。また、側面パネル２と相隣る側面パネル２との間には折り曲げ線１５を介在させる。
【００１７】
右端の四角形パネル１の右辺には折り曲げ線９を介在させて側面パネル２と略同じ大きさの固定パネル１０を連ね、固定パネル１０の上辺には折り曲げ線１３を介在させて概略長方形の固定パネル１４を連ねる。左端の側面パネル２の左辺には折り曲げ線１１を介在させて糊代１２を連ねる。
【００１８】
次に、この角底シェルカートンの組み立てについて説明する。
【００１９】
側面パネル２に対し底面パネル３を折り曲げ線５で内方に折り曲げ、側面パネル２も折り曲げ線１５で内方に折り曲げ、糊代１２も折り曲げ線１１で内方に折り曲げて、糊代１２の外面に接着剤を塗布して図の右端の側面パネル２の端部内面と接着し、箱状に形成する。
【００２０】
四角形パネル１は折り畳み線７で二つ折りにして三角形パネル８とし、三角形パネル８は側面パネル２に対して折り曲げ線４で内方に折り曲げる。三角形パネル８にすることによりこの部分は二重になり強度が増す。
【００２１】
このようにして底面および側面を組み上げた状態を図２に示す。底面は４枚の底面パネルが重なり合って紙の反発力を利用してきれいに底面を塞ぐ。底面は紙の反発力を利用しロックして塞ぐ、いわゆるハンドロックを採用する。
【００２２】
次に、カートン内に商品等を収容してから天面の組み上げであるが、シェル形の形状を安定的に保持できるように、固定パネル１０を三角形パネル８に対して折り曲げ線９で内方に折り曲げ、さらに、固定パネル１４を補強パネル１０に対し折り曲げ線１３で内方に折り曲げる。
【００２３】
図３に示すように、固定パネル１０・１４を有する三角形パネル８を折り曲げ線４で内方に折り曲げ、固定パネル１０・１４は側面パネル２の内面に当接させ底面パネル３上に載置する。三角形パネル８の斜辺はカートンの開口対角線長さより長く設定してあるので、上方に向けて突状、円弧状となる。固定パネル１０・１４が底面パネル３に載置されているので、円弧面の形状は安定する。
【００２４】
続いて、隣の三角形パネル８を同様に側面パネル２に対して折り曲げ線４で折り曲げ、さらに隣の三角形パネル２を同様に折り曲げた状態が図３の状態である。
【００２５】
最後の三角形パネル８も同様に折り曲げ、最初に折り曲げた三角形パネル８の下にその先端を差し込む。その状態が図４の状態である。
【００２６】
三角形パネル８は紙の持つ反発力で互いに持ち上がろうとしてブロック状態になり、三角形パネル８が開いてしまったり、逆に内側に凹んでしまうのを防ぐ。これによってシェル構造が安定状態となり、シールで止めたり、ヒモ掛けの必要が普通は無くなる。
【００２７】
天面も三角形パネル８の反発力を利用し、三角形パネル２の先端を隣の三角形パネル８の下に差し込む、いわゆるハンドロックを採用している。
【００２８】
また、三角形パネル８は二つ折りにして構成されているので、印刷面が内面に折り込まれるので、工夫次第では魅力的にこれを活かすことができる。
【００２９】
図５は、本角底シェルカートンを折り畳んだ状態を示す。薄く折り畳むことができ、場所を取らず収容、搬送、保管に便利である。
【実施例】
【００３０】
１５０ｍｍの四角形で深さ４６ｍｍの角底シェルカートンである。
【産業上の利用可能性】
【００３１】
上記の実施例で、底面が四角形の例について述べたが、多角形への対応も楽にできる。      
【００３２】
また、上記の実施例では、深さが浅い例について述べたが、深さを深くすることは容易にできる。
【００３３】
本角底シェルカートンは、魅力的外形からギフトパッケージとして最適である。
【００３４】
例えば、浅いものはホールケーキ用の箱に、深いものはカップ状に仕上げて、キャンデー、チョコレート、スナック等のばら詰めに使える。
【００３５】
本角底シェルカートンは、開けた時の形が花の開花時に似ていることから、パーティーグッズに使える。
【００３６】
食品以外のファッション関係の小物、装身具のパッケージとして使える。
【図面の簡単な説明】
【００３７】
【図１】本発明の具体的一実施例の展開図である。
【図２】図１の展開図の角底シェルカートンの側面、底面を組み上げた状態の斜視図である。
【図３】図１の展開図の角底シェルカートンの天面を組み上げた状態を説明する斜視図である。
【図４】図１の展開図の角底シェルカートンの天面の組み上げが完了した状態の斜視図である。
【図５】図１の展開図の角底シェルカートンの折り畳んだ状態の正面図である。
【符号の説明】
【００３８】
２…側面パネル
７…四角形パネル
８…三角形パネル
１０・１４…固定パネル
【図１】
2005138886.tif 000003
【図２】
2005138886.tif 000004
【図３】
2005138886.tif 000005
【図４】
2005138886.tif 000006
【図５】
2005138886.tif 000007